(57)【要約】【課題】測量用ポールを手に持ったり専用ケースに入れたりすることなく持ち運ぶことができる測量機用支持装置およびポール保持部材を提供する。【解決手段】測量機を支持する測量機用支持装置としての三脚１は、測量機を設置する脚頭１０と、脚頭１０に開閉自在に接続された３本の支持脚２０と、支持脚２０に取り付けられた、測量用ポールを保持するためのポール保持部材３０と、を備える。ポール保持部材３０は、閉状態の３本の支持脚２０が当該ポール保持部材３０で保持された測量用ポールを囲むように、支持脚２０の内側に取り付けられていることが好ましい。【選択図】図１
0003200317.tif 000002
【実用新案登録請求の範囲】
【請求項１】
測量機を支持する測量機用支持装置であって、
前記測量機が取り付けられる脚頭と、
前記脚頭に開閉自在に接続された複数の支持脚と、
前記支持脚に取り付けられた、測量用ポールを保持するための少なくとも１つのポール保持部材と、を備える
ことを特徴とする測量機用支持装置。
【請求項２】
前記ポール保持部材は、閉状態の前記複数の支持脚が当該ポール保持部材で保持された前記測量用ポールを囲むように、前記支持脚の内側に取り付けられている
ことを特徴とする請求項１に記載の測量機用支持装置。
【請求項３】
前記複数の支持脚は、それぞれ、前記脚頭に接続された第１の脚材と、この第１の脚材に沿って移動可能な第２の脚材とにより構成され、
前記ポール保持部材は、前記第１の脚材に取り付けられている
ことを特徴とする請求項１または２に記載の測量機用支持装置。
【請求項４】
測量機用支持装置の支持脚に取り付けられる取付面を有する基板部と、
前記基板部に設けられた、測量用ポールを着脱自在に保持するための保持部とを有する
ことを特徴とするポール保持部材。
【請求項５】
前記取付面には、前記支持脚に沿って延びる溝が形成されている
ことを特徴とする請求項４に記載のポール保持部材。
【請求項６】
前記保持部は、弾性変形可能に形成されるとともに前記測量用ポールを挟み持つ挟持片により構成されている
ことを特徴とする請求項４または５に記載のポール保持部材。
【請求項７】
前記挟持片は、前記測量用ポールを挟んでいないときは前記測量用ポールの径よりも小さな径を有した空間を形成するとともに、前記空間を所定方向に開放する一対の先端を有し、
前記一対の先端の間隔は、前記所定方向から当該一対の先端に前記測量用ポールが押し当てられたときに前記測量用ポールの径と同じになるまで大きくなり、前記空間に前記測量用ポールを押し入れたときに前記測量用ポールの径よりも小さくなる
ことを特徴とする請求項６に記載のポール保持部材。
【考案の詳細な説明】
【技術分野】
【０００１】
本考案は、測量機用支持装置、および当該支持装置に取り付けられるポール保持部材に関するものである。
【背景技術】
【０００２】
一般的に、測量機を支持するための測量機用支持装置として、３本の支持脚を備えた三脚が知られている（例えば特許文献１参照）。測量を行う際、測量機用支持装置で支持された測量機は、例えば、測量用ポールに取り付けられたプリズム（例えば特許文献２参照）に向けて発光する。
【先行技術文献】
【特許文献】
【０００３】
【特許文献１】特開２０１０−２８６２８７号公報
【特許文献２】特開２００１−２７２２３０号公報
【考案の概要】
【考案が解決しようとする課題】
【０００４】
ところで、測量用ポールを持ち運ぶ際において、従来は、測量用ポールを手に持って移動することや、測量用ポールを分割してショルダーストラップ付きの専用ケースに入れて、この専用ケースを肩に掛けて移動することが行われている。しかし、前者の場合、両手の一方で三脚を持つとともに他方で測量用ポールを持つことにより両手がふさがった状態となるため、急な斜面のある山地において安全に移動することができないという不都合があった。また、後者の場合、専用ケースに対する測量用ポールの出し入れが煩わしいという不都合や、急な斜面のある山地において肩に掛けた専用ケースが移動の邪魔になるという不都合があった。
【０００５】
本考案は、上記事情に鑑みてなされたものであって、測量用ポールを手に持ったり専用ケースに入れたりすることなく持ち運ぶことができる測量機用支持装置およびポール保持部材を提供することを課題とする。
【課題を解決するための手段】
【０００６】
上記課題を解決するため、請求項１に記載の測量機用支持装置は、前記測量機が取り付けられる脚頭と、前記脚頭に開閉自在に接続された複数の支持脚と、前記支持脚に取り付けられた、測量用ポールを保持するための少なくとも１つのポール保持部材と、を備えることを特徴とする。
【０００７】
また、請求項２に記載の測量機用支持装置は、請求項１に記載の測量機用支持装置において、前記ポール保持部材は、閉状態の前記複数の支持脚が当該ポール保持部材で保持された前記測量用ポールを囲むように、前記支持脚の内側に取り付けられていることを特徴とする。
【０００８】
また、請求項３に記載の測量機用支持装置は、請求項１または２に記載の測量機用支持装置において、前記複数の支持脚は、それぞれ、前記脚頭に接続された第１の脚材と、この第１の脚材に沿って移動可能な第２の脚材とにより構成され、前記ポール保持部材は、前記第１の脚材に取り付けられていることを特徴とする。
【０００９】
また、請求項４に記載のポール保持部材は、測量機用支持装置の支持脚に取り付けられる取付面を有する基板部と、前記基板部に設けられた、測量用ポールを着脱自在に保持するための保持部とを有することを特徴とする。
【００１０】
また、請求項５に記載のポール保持部材は、請求項４に記載のポール保持部材において、前記取付面には、前記支持脚に沿って延びる溝が形成されていることを特徴とする。
【００１１】
また、請求項６に記載のポール保持部材は、請求項４または５に記載のポール保持部材において、前記保持部は、弾性変形可能に形成されるとともに前記測量用ポールを挟み持つ挟持片により構成されていることを特徴とする。
【００１２】
また、請求項７に記載のポール保持部材は、請求項６に記載のポール保持部材において、前記挟持片は、前記測量用ポールを挟んでいないときは前記測量用ポールの径よりも小さな径を有した空間を形成するとともに、前記空間を所定方向に開放する一対の先端を有し、前記一対の先端の間隔は、前記所定方向から当該一対の先端に前記測量用ポールが押し当てられたときに前記測量用ポールの径と同じになるまで大きくなり、前記空間に前記測量用ポールを押し入れたときに前記測量用ポールの径よりも小さくなることを特徴とする。
【考案の効果】
【００１３】
本考案によれば、測量用ポールを手に持ったり専用ケースに入れたりすることなく持ち運ぶことができる測量機用支持装置およびポール保持部材を提供することができる。
【図面の簡単な説明】
【００１４】
【図１】本考案の一実施形態に係る測量機用支持装置の図であって、（Ａ）は側面図であり、（Ｂ）は下面図である。
【図２】同実施形態に係るポール保持部材の図であって、（Ａ）は平面図であり、（Ｂ）は正面図であり、（Ｃ）は側面図であり、（Ｄ）は背面図である。
【図３】（Ａ）〜（Ｄ）は、同実施形態に係るポール保持部材で測量用ポールが保持される工程を示す模式図である。
【図４】（Ａ）は、同実施形態に係るポール保持部材が測量用ポールを保持している状態を示す模式図であって、（Ｂ）は、（Ａ）のＳ−Ｓ線部分の断面図である。
【図５】変形例に係る測量機用支持装置およびポール保持部材の断面図であって、（Ａ）は、支持脚にポール保持部材が固定される前の状態を示す模式図であり、（Ｂ）は、支持脚に固定されたポール保持部材が測量用ポールを保持している状態を示す模式図である。
【図６】他の変形例においてポール保持部材が測量用ポールを保持している状態を示す模式図である。
【考案を実施するための形態】
【００１５】
図１〜４を参照しながら、本考案に係る測量機器用支持装置およびポール保持部材の一実施形態を説明する。なお、図２中の矢印で示すＸ方向、Ｙ方向、およびＺ方向は、互いに直交する方向である。
【００１６】
図１は、本実施形態の測量機支持装置である三脚１を簡略化して示している。測量機（図示略）を支持する三脚１は、測量機が取り付けられる脚頭１０と、脚頭１０に接続された３本の支持脚２０と、測量用ポール２（図３参照）を保持するための６個のポール保持部材３０（図２参照）とを備える。なお、図１では、ポール保持部材３０の形状の図示は省略し、ポール保持部材３０の配置箇所を図示している。
【００１７】
３本の支持脚２０は、例えばアルミニウムまたは木により形成され、脚頭１０に開閉自在に接続されている。図中の矢印Ａで示す開方向Ａは、３本の支持脚２０が互いに離れる方向であり、支持脚２０が開く方向を示している。また、図中の矢印Ｂで示す閉方向Ｂは、３本の支持脚２０が互いに近づく方向であり、支持脚２０が閉じる方向を示している。測量を行う際は、支持脚２０を開方向Ａに動かして支持脚２０を開状態とする。また、三脚１を持ち運ぶ際には、支持脚２０を閉方向Ｂに動かして支持脚２０を閉状態とする。
【００１８】
３本の支持脚２０は、それぞれ、脚頭１０に接続された一対の第１の脚材２１と、一対の第１の脚材２１の間に設けられた第２の脚材２２とを備える。各脚材２１，２２は、角柱状に形成されている。第２の脚材２２は、第１の脚材２１に沿って移動可能に構成されており、第１の脚材２１に対して第２の脚材２２が動くことにより、支持脚２０は伸縮する。第１の脚材２１の下端部には、第２の脚材２２を第１の脚材２１に対して固定するための固定機構２３が設けられている。
【００１９】
６個のポール保持部材３０は、３本の支持脚２０の各々に含まれる１本の第１の脚材２１に、第１の脚材２１の長手方向に間隔をあけて２個ずつ取り付けられている。６個のポール保持部材３０は、それぞれ、閉状態の支持脚２０がポール保持部材３０で保持された測量用ポール２を囲むように、支持脚２０の第１の脚材２１の内側（閉方向Ｂに向けられる部位）に取り付けられている。
【００２０】
図２に示すように、ポール保持部材３０は、支持脚２０に取り付けられる基板部３１と、測量用ポール２を着脱自在に保持するための保持部３２とを有する。基板部３１と保持部３２とは、同一の材料のより一体として形成されている。ポール保持部材３０は、耐候性に優れた樹脂材料からなることが好ましい。
【００２１】
基板部３１は、保持部３２が突出する正面３１Ａと、支持脚２０に当てられる背面３１Ｂとを有する。背面３１Ｂは、支持脚２０に取り付けられる取付面である。背面３１Ｂには、Ｚ方向に延びることによって支持脚２０に沿って延びるＶ字状の溝３３が形成されている。また、基板部３１には、ねじ４０（図４参照）が挿し込まれる２つの貫通孔３４が形成されている。２つの貫通孔３４は、溝３３が延びるＺ方向において間隔をあけて設けられている。
【００２２】
保持部３２は、基板部３１の正面３１Ａに設けられ、２つの貫通孔３４の間に配置されている。保持部３２は、弾性変形可能に形成されるとともに測量用ポール２を挟み持つ挟持片３５により構成されている。挟持片３５は、断面形状を維持したままＺ方向に延びており、測量用ポール２を挟んでいないときは測量用ポール２の径よりも小さな径を有した空間Ｃを形成する。挟持片３５は、空間Ｃに面する円弧状の内面３５Ａと、空間Ｃを所定方向（以下「空間Ｃの開放方向」という）に開放する一対の先端３５Ｂとを有する。内面３５Ａは、一対の先端３５Ｂの一方から他方にかけて連続した円弧をなしている。一対の先端３５Ｂは、空間Ｃに測量用ポール２を案内するように、斜めに向かい合っている。
【００２３】
図３は、保持部３２で測量用ポール２が保持される工程を示している。なお、図３中の矢印Ｄは、空間Ｃの径を示しており、図３中の矢印Ｅは、一対の先端３５Ｂの間隔を示している。また、図３中の矢印Ｆは、測量用ポール２の径を示している。
【００２４】
図３（Ａ）に示すように、挟持片３５で測量用ポール２を挟んでいないときは、空間Ｃの径（例えば８．２ｍｍ）および一対の先端３５Ｂの間隔（例えば７．６ｍｍ）は、測量用ポール２の径（例えば、９ｍｍ）よりも小さい。挟持片３５に測量用ポール２を保持させる際は、開放方向から測量用ポール２を挟持片３５の先端３５Ｂに当てて、空間Ｃに向けて測量用ポール２を押す。そうすると、図３（Ｂ）に示すように、一対の先端３５Ｂの間隔が大きくなり、図３（Ｃ）に示すように、一対の先端３５Ｂの間隔が測量用ポール２の径と同じになるまで大きくなる。こうして、空間Ｃに測量用ポール２を押し入れることができ、図３（Ｄ）に示すように、一対の先端３５Ｂの間隔は、空間Ｃに測量用ポール２を押し入れたときに測量用ポール２の径よりも小さくなり、挟持片３５が測量用ポール２を挟み持つ状態となる。
【００２５】
図４は、２個のポール保持部材３０が１本の測量用ポール２を保持している状態を示している。
図４に示すように、ポール保持部材３０は、ねじ４０を用いて支持脚２０に取り付けられている。ねじ４０は、めねじが形成されていないポール保持部材３０および支持脚２０にねじ込むことが可能なタッピングねじである。基板部３１の貫通孔３４および支持脚２０の第１の脚材２１にねじ込まれたねじ４０が、基板部３１と第１の脚材２１とを締結することによって、ポール保持部材３０が支持脚２０に固定されている。
【００２６】
ポール保持部材３０で保持された測量用ポール２は、直径が９ｍｍのピンポールであって、支持脚２０よりも短い。測量を行う際は、複数本の測量用ポール２を継ぎ足すことにより１本の長いピンポール（図示略）を形成し、この長いピンポールを用いて、測量機の発光対象となるプリズム（図示略）を支持する。測量用ポール２を持ち運ぶ際には、挟持片３５が測量用ポール２を挟み持った状態となるように、ポール保持部材３０の保持部３２に測量用ポール２を保持させる。そして、三脚１とともに測量用ポール２を持ち運ぶ。
【００２７】
上記実施形態では以下の効果が得られる。
（１）三脚１は、測量用ポール２を保持するためのポール保持部材３０を備えている。このため、ポール保持部材３０で測量用ポール２を保持させた状態で三脚１を持ち運ぶことにより、三脚１とともに測量用ポール２を持ち運ぶことができ、測量用ポール２を手に持ったり専用ケースに入れたりすることなく持ち運ぶことができる。その結果、測量用ポール２を手に持って移動する場合に比べて、急な斜面のある山地においても安全に移動することができ、測量用ポール２を専用ケースに入れて移動する場合に比べて、測量用ポール２を容易に持ち運ぶことができる。また、三脚１とともに持ち運ぶ測量用ポール２の存在を目視によって容易に確認することができるため、測量用ポール２の持ち運びを忘れることを軽減することが期待できる。なお、三脚１の持ち運び方法としては、ポール保持部材３０が測量用ポール２を保持している状態の三脚１を、手で直接持たずに、ショルダーストラップ付きのケース（図示略）に入れて、このケースを肩に掛けて移動してもよい。
【００２８】
（２）ポール保持部材３０は、閉状態の支持脚２０が当該ポール保持部材３０で保持された測量用ポール２を囲むように、支持脚２０の内側に取り付けられている。このため、測量用ポール２の長さは、縮んだ状態の支持脚２０の長さよりも短い場合、三脚１を持ち運ぶ際に、測量用ポール２が三脚１から突出しないようにして安全に持ち運ぶことができる。
【００２９】
（３）ポール保持部材３０は、支持脚２０を構成する各脚材２１，２２のうち、第１の脚材２１に取り付けられている。このため、第１の脚材２１に対して第２の脚材２２が動く際に、ポール保持部材３０が固定機構２３に干渉することがないため、ポール保持部材３０によって支持脚２０の伸縮が妨げられることがない。
【００３０】
（４）ポール保持部材３０は、支持脚２０に取り付けられる背面３１Ｂ（取付面）を有する基板部３１と、基板部３１に設けられた、測量用ポール２を着脱自在に保持するための保持部３２とを有する。このため、市販の三脚にポール保持部材３０を後付けすることにより、上記（１）の効果が得られる。
【００３１】
（５）ポール保持部材３０の保持部３２は、弾性変形可能に形成されるとともに測量用ポール２を挟み持つ挟持片３５により構成されている。このため、簡易な構成で測量用ポール２を保持することができる。
【００３２】
（６）挟持片３５は、測量用ポール２を挟んでいないときは測量用ポール２の径Ｆよりも小さな径Ｄを有した空間Ｃを形成し、一対の先端３５Ｂの間隔Ｅは、開放方向から一対の先端３５Ｂに測量用ポール２が押し当てられたときに測量用ポール２の径Ｆと同じになるまで大きくなり、空間Ｃに測量用ポール２を押し入れたときに測量用ポール２の径Ｆよりも小さくなる。このため、挟持片３５の内面３５Ａの全面に測量用ポール２を密着させた状態で測量用ポール２を保持することができ、測量用ポール２のＸ方向、Ｙ方向、およびＺ方向の移動をポール保持部材３０で規制することができる。
【００３３】
本考案は、上記実施形態に限定されるものではなく、上記実施形態の構成を適宜変更することもできる。例えば、上記構成を以下のように変更して実施することもでき、以下の変更を組み合わせることもできる。
【００３４】
・支持脚２０の本数および形状等を変更してもよい。例えば、角柱状の第１の脚材２１を備える支持脚２０に代えて、図５に示すように、円柱状に形成された第１の脚材１２１を備える支持脚１２０を、本考案に採用することもできる。
【００３５】
ポール保持部材３０を支持脚１２０に取り付ける際には、以下の効果が得られる。
（７）支持脚２０に当てられるポール保持部材３０の背面３１Ｂ（取付面）には、支持脚２０に沿って延びる溝３３が形成されている。この構成によれば、図５に示すように、ポール保持部材３０の背面３１Ｂを、支持脚１２０の二箇所に当接することができる。このため、背面３１Ｂの全面が平面状に形成されている構成と比べて、ポール保持部材３０の支持脚１２０への取り付けが容易になる。
【００３６】
・溝３３の形状および個数を変更してもよい。また、貫通孔３４の形状および個数を変更してもよい。また、接着剤等のねじ止め以外の方法でポール保持部材３０を支持脚２０に取り付ける場合、貫通孔３４は無くてもよい。また、１つの基板部３１に設けられる保持部３２の個数を変更してもよく、１つの基板部３１に複数の保持部３２を並べて設けることもできる。
【００３７】
・基板部３１と保持部３２とが、一体として形成されていなくてもよい。すなわち、基板部３１および保持部３２が、それぞれ異なる部品により構成され、ボルト等の締結部材を用いて基板部３１に保持部３２が設けることもできる。
【００３８】
・持ち運ぶ測量用ポール２の本数に応じて、ポール保持部材３０の個数を変更してもよく、全ての支持脚２０にポール保持部材３０が設けられている必要はない。また、１本の支持脚２０に、２本の測量用ポール２を保持するためのポール保持部材３０を設けてもよい。
【００３９】
・１本の支持脚２０に、１本の測量用ポール２を保持するためのポール保持部材３０を３個以上設けてもよい。また、図６に示すように、１本の支持脚２０に、１本の測量用ポール２を保持するためのポール保持部材３０を１個のみ設けてもよい。また、図６に示すように、支持脚２０に、測量用ポール２を挟み持つポール保持部材３０だけでなく、測量用ポール２の先端を覆う先端カバー部材５０を設けてもよい。測量用ポール２の石突２Ａは、鋭く尖っているため、少なくとも測量用ポール２の石突２Ａは、先端カバー部材５０で覆われていることが好ましい。
【００４０】
・ポール保持部材３０を支持脚２０の外側に設けることもできる。また、支持脚２０の伸縮の妨げにならないのであれば、ポール保持部材３０を第２の脚材２２に取り付けてもよい。
【符号の説明】
【００４１】
１  三脚（測量機用支持装置）
２  測量用ポール
１０  脚頭
２０  支持脚
２１  第１の脚材
２２  第２の脚材
２３  固定機構
３０  ポール保持部材
３１  基板部
３１Ａ  正面
３１Ｂ  背面（取付面）
３２  保持部
３３  溝
３４  貫通孔
３５  挟持片
４０  ねじ
５０  先端カバー部材
【図１】
0003200317.tif 000003
【図２】
0003200317.tif 000004
【図３】
0003200317.tif 000005
【図４】
0003200317.tif 000006
【図５】
0003200317.tif 000007
【図６】
0003200317.tif 000008